(57)【要約】      （修正有）【課題】庇上面を凸面に取り付けることで庇が立体的になり、そのため庇が簡単で軽く、取り付けが簡単な庇及びその取り付け方法を提供する。【解決手段】取付面１の中央に開けた固定穴２二個所をネジ釘などで取り付ける。次に、両端に開けた残留応力穴３を庇上面４が凸面になるように、下に下げてネジ釘などで止める。このような作業を、中央から端へと順番に取り付けると緩やかなアーチになる。【選択図】図５
2005282030.tif 000002
【特許請求の範囲】
【請求項１】
建物の壁面の、窓などの上に取り付ける庇であって、横から見た全体の形は略Ｎの形をしている。
そして、庇を壁面に取り付ける取付面（１）の中央に開けた穴２個を固定穴(２)としてネジ釘などで取り付ける。
次に、両端に開けた残留応力穴（３）として、庇上面（４）が凸面になるように下に下げてネジ釘などで止める。
このような作業を、中央から端へと順番に取り付けると庇上面(４)はアーチの形になる。
そして庇上面（４）の先端には雨水を両端に分けるためと、庇上面（４）の強度を保つため上方向に曲げた形で、雨水を集め両端に逃がす雨樋（５）を設けたことを特徴とする庇及びその取り付け方法。
【発明の詳細な説明】
【技術分野】
【０００１】
本発明は、家の窓などの上部に設置して雨の降り込みや、日差しの降り込みを防ぐ庇及びその取り付け方法に関するものである。
【背景技術】
【０００２】
従来の庇は、住宅の竣功時に柱や腕木を利用して、木製の庇の枠にブリキや波板などで雨の振り込みや陽射しを防いでいたが、最近の住宅にはコストを抑えるあまり付いていないものがある。したがって、家の中に陽射しが差し込み快適な暮らしができず、冷房に頼っていたので夏の光熱費が多くなっていた。
【特許文献１】特開２００２−２３５４１４
【０００３】
窓庇構造は、住宅の竣工後であっても腕木を用いることなく簡単に窓の庇ユニットを取り付けて庇を形成する方法は、窓上パネルの表面に設定間隔をおいて複数個の取り付け金具を、中空外壁用アンカーボルトを介して固定し、取り付け金具に窓庇ユニットを、ビスを介して固定するという簡単な作業で窓上に窓庇を形成することができる。
しかも、腕木を用いることなく窓庇ユニットを取り付けることができるから、住宅竣工後であっても顧客の要望に応じて窓上に窓庇を簡単に形成することができる。
【特許文献２】特開２００１−１５９２０９
【０００４】
また、庇ユニットは取り付け基盤と庇本体には共通のものを用い、先端パーツ部を庇本体に着脱自在として、複数の異なる形状または機能を有するものを各種用意することによって、顧客の要望に応じ、変化に富んだ庇ユニットを提供することができる。
しかも、取り付け基盤と庇本体は、大量生産できるので、生産コストを下げることができる。
さらに、選択した先端パーツ部を庇本体に接続することにより庇ユニットを簡単に組み立てることができる。
【発明の開示】
【発明が解決しようとする課題】
【０００５】
従来の庇は、強度を守るため立体的に組んでいたので庇自体が重たくなり、その庇を支えるためには堅固な物でなければならなかった。
また、庇自体に重さがあるため風などで飛んだとき、被害が大きくなる恐れがあった。
さらに、庇の上面は力が何処からも加わっていない状態なので、雨などの音が響いていた。
【０００６】
そこで、本発明の庇及びその取り付け方法は、庇上面（４）を凸面に取り付けることで庇が立体的になり、そのため庇が簡単で軽く、取り付けが簡単な庇及びその取り付け方法を提供するものである。
【課題を解決するための手段】
【０００７】
上記目的を達成するために、本発明の庇及びその取り付け方法は、庇の取付面(１)の中央に開けた固定穴(２)の２個所をネジ釘などで取り付ける。
次に、両端に開けた残留応力穴（３）を庇上面（４）が凸面になるように、下に下げてネジ釘などで止める。
このような作業を、中央から端へと順番に取り付けると、庇上面(４)はアーチのように中央は盛り上がった状態になる。
そして、庇上面（４）の先端には雨水を両端に分けるためと、庇上面（４）の強度を保つため、上方向に曲げた形で雨樋（５）を設けてあることで目的を達成した。
【発明の効果】
【０００８】
本発明は、次のような効果がある。
（ィ）竣功後であっても取り付けることができる。
（ロ）本発明の庇は、簡単なものであるため、従来のものより安く作ることができる。
（ハ）庇上面を凸面に取り付けることで庇全体が緊張状態になり、そのため庇に必要な強度を保つことができる。
（ニ）全体が緊張状態になっているから、雨音などが響かない。
（ホ）庇の先端が強度を保つために上に折り曲げているが、先端を折り曲げることで雨樋の役目も果たす。
【発明を実施するための最良の形態】
【０００９】
本発明の庇及びその取り付け方法に付いて図面で説明すれば、図１は建物の壁面の、窓などの上に取り付けた庇の斜視図であって、
庇の形は図２の横から見た断面図のように略Ｎの形をしており、そのまま取り付けると風などの外力で疲労し破損する恐れがあるため、図３のように庇の取付面（１）の中央に開けた固定穴（２）二個所をネジ釘などで取り付ける。
次に、図４のように両端に開けた残留応力穴（３）を庇上面（４）が凸面になるように下に下げてネジ釘などで止める。
【００１０】
そして図５のように、このような作業を中央から端へと順番に取り付けると、庇上面（４）は緩やかなアーチになり、緊張状態を保つので風などの外力に強くなる。
これを凸面に取り付けず平面に取り付けると、庇上面（４）の先端では力が加わっていない状態で、力が加わっていないと外からの外力に弱く、ほんの少しの力で上下に動き、したがって風などの震動で時間がたつと疲労して破損する恐れがあった。
そして庇上面（４）の先端には雨水を両端に分けるためと、庇上面（４）の強度を保つため上方向に曲げて雨樋（５）を設けた。
【実施例１】
【００１１】
本発明の庇を、ステンレスで作った場合を図２で説明すれば、厚みは１．２ミリで、曲げ加工でできるためコストが低いのが特徴である。
庇の長さは１８０センチメートルで、庇上面（４）の奥行きは４０センチメートルで、庇上面（４）の勾配は１０度であり、取付面（１）は５センチメートルである。
この庇の中央が、１０センチメートル盛り上がるように凸面に取り付けると、庇上面（４）の先端に加わる力は５センチメートル下げるのに５０キログラムの力がいる。
【００１２】
もし庇の中央の盛り上がりがなく、平らな場合には５センチメートル下げるのに１キログラム以下で下がるから、風などの振動によって破壊が起こるので平らな取付は良くない。
このように、庇全体をアーチ状にしたことで、１０センチメートルの補強が付いているのと同じである。
【実施例２】
【００１３】
本発明の庇を、アルミニュームで作った場合を図２で説明すれば、厚みは３ミリで、曲げ加工でできるためコストが低いのが特徴である。
庇の長さは１８０センチメートルで、庇上面（４）の奥行きは４０センチメートルで、庇上面（４）の勾配は１０度であり、取付面（１）は５センチメートルである。
この庇の中央が、１０センチメートル盛り上がるように凸面に取り付けると、庇上面（４）の先端に加わる力は５センチメートル下げるのに５０キログラムの力がいる。
【００１４】
もし庇の中央の盛り上がりがなく、平らな場合には５センチメートル下げるのに３キログラム以下で下がるから、風などの振動によって破壊が起こるので平らな取付は良くない。
このように、庇全体をアーチ状にしたことで、１０センチメートルの補強が付いているのと同じである。
【実施例３】
【００１５】
本発明の庇を、強化プラスチックで作った場合を図２で説明すれば、厚みは５ミリで一部庇上面（４）と取付面（１）が８ミリで補強している。
庇の長さは１８０センチメートルで、庇上面（４）の奥行きは４０センチメートルで、庇上面（４）の勾配は１０度であり、取付面（１）ハ５センチメートルである。
この庇の中央が、１０センチメートル盛り上がるように凸面に取り付けると、庇上面（４）の先端に加わる力は５センチメートル下げるのに５０キログラムの力がいる。
もし庇の中央の盛り上がりがなく、平らな場合には５センチメートル下げるのに５キログラム以下で下がるから、風などの振動によって破壊が起こるので平らな取付は良くない。
このように、庇全体をアーチ状にしたことで、１０センチメートルの補強が付いているのと同じである。
【産業上の利用可能性】
【００１６】
この発明は、このような簡単な物であるからホームセンターなどで買って、素人の人でも取り付けることができる。また、ビルなどではブラインドなどを使用していたが、この発明により庇が簡単に取り付けることができるため、庇を窓の外で防ぐと夏の光熱費を節約し、ひいてはヒートアイランドを防ぐ役目を果たす。
【図面の簡単な説明】
【００１７】
【図１】図は、本発明の斜視図である。
【図２】図は、本発明の断面図である。
【図３】図は、固定穴を取り付けた斜視図である。
【図４】図は、残留応力穴を取り付けた斜視図である。
【図５】図は、残留応力穴を全て取り付けた斜視図である。
【図６】図は、雨樋に紐を垂らした斜視図である。
【符号の説明】
【００１８】
１  取付面  
２  固定穴
３  残留応力穴
４  庇上面
５  雨樋  
６  紐
【図１】
2005282030.tif 000003
【図２】
2005282030.tif 000004
【図３】
2005282030.tif 000005
【図４】
2005282030.tif 000006
【図５】
2005282030.tif 000007
【図６】
2005282030.tif 000008